【事件の表示】
　特許第２９２８１７８号「無線携帯情報端末装置」の請求項１乃至１１の特許に対する特許異議の申立てについて、次のとおり決定する。
【結　論】
　訂正を認める。
　特許第２９２８１７８号の請求項1に係る特許を維持する。
【理　由】
１．手続きの経緯
  特許第２９２８１７８号の請求項１〜１１に係るそれぞれの発明は、平成８年１１月２９日に特許出願され、平成１１年５月１４日にその特許の設定登録がされ、その後特許異議申立がなされ、取消理由通知がなされ、その指定期間内である平成１２年７月１７日に訂正請求がなされたものである。
　
２．訂正の適否について
（１）訂正の内容
  特許権者の求める訂正は、請求項１〜５、７〜１１を削除し、請求項６を請求項１として、「基地局に対し無線で送受信を行う通信制御手段を有する無線携帯端末部と、ユーザーからの入力を受け付け処理する入力処理手段及び処理したデータを記憶するデータ記憶手段を有する携帯情報処理端末部とを備え、電源として電池を使用する無線携帯情報端末装置において、更に、前記無線携帯情報端末装置内での処理の内容や処理の有無に応じて、当該端末装置に供給する電力の消費量が互いに異なる動作状態のいずれかに切り替える動作状態切替手段と、前記動作状態を切り替えたとき前記電源の電源電圧の検出を行う電源電圧検出手段と、前記電源電圧検出手段が検出した電源電圧値と前記動作状態に応じた放電データとから電池残量レベルを決定する電池残量レベル決定手段とを含むことを特徴とする無線携帯情報端末装置。」と訂正し、また、明細書の段落１０の記載を、「【課題を解決するための手段】本発明の無線携帯情報端末装置は、基地局に対し無線で送受信を行う通信制御手段を有する無線携帯端末部と、ユーザーからの入力を受け付け処理する入力処理手段及び処理したデータを記憶するデータ記憶手段を有する携帯情報処理端末部とを備え、電源として電池を使用する無線携帯情報端末装置において、更に、前記無線携帯情報端末装置内での処理の内容や処理の有無に応じて、当該端末装置に供給する電力の消費量が互いに異なる動作状態のいずれかに切り替える動作状態切替手段と、前記動作状態を切り替えたとき前記電源の電源電圧の検出を行う電源電圧検出手段と、前記電源電圧検出手段が検出した電源電圧値と前記動作状態に応じた放電データとから電池残量レベルを決定する電池残量レベル決定手段とを含むことを特徴としている。」と訂正するものである。
（２）訂正の目的の適否、新規事項の有無及び拡張・変更の存否
  上記訂正のうち、請求項１〜５、７〜１１を削除する訂正は、特許請求の範囲の減縮に該当する。
　また、請求項６に関する訂正は、特許登録時の従属形式の記載を独立形式の記載に改めるとともに、特許登録時の請求項６の「処理量に応じて」との技術内容を「無線携帯情報端末装置内での処理の内容や処理の有無に応じて」と訂正し、また、特許登録時の請求項６の「電池残量レベル検出手段は、検出した電源電圧値と、動作状態に応じた放電データ及び周辺回路の動作の有無に応じた放電データの内の少なくとも一方のデータとから電池残量レベルを検出すること」を「電源電圧検出手段が検出した電源電圧値と動作状態に応じた放電データとから電池残量レベルを決定する電池残量レベル決定手段とを含むこと」と訂正するものであり、特許登録時の請求項６の「処理量に応じて」との技術内容を「無線携帯情報端末装置内での処理の内容や処理の有無に応じて」とする訂正は、不明りょうな記載の釈明に該当し、また、特許登録時の請求項６の「電池残量レベル検出手段は、検出した電源電圧値と、動作状態に応じた放電データ及び周辺回路の動作の有無に応じた放電データの内の少なくとも一方のデータとから電池残量レベルを検出すること」を「電源電圧検出手段が検出した電源電圧値と動作状態に応じた放電データとから電池残量レベルを決定する電池残量レベル決定手段とを含むこと」とする訂正のうち、特許登録時の「周辺回路の動作の有無に応じた」との要件を削除する訂正は、特許請求の範囲の減縮に該当し、特許登録時の「電池残量レベル検出手段」による「電池残量レベルを検出する」点を「電池残量レベル決定手段」による「電池残量レベルを決定する」と訂正する点は、不明瞭な記載の釈明に該当する。そして、それら訂正は、新規事項を追加するものでも、実質上特許請求の範囲を拡張し、又は変更するものでもない。
　さらに、明細書の訂正は、特許登録時の各請求項を訂正したことに伴う訂正であり、不明りょうな記載の釈明に該当し、また、新規事項を追加するものでも、実質上特許請求の範囲を拡張し、又は変更するものでもない。
（３）まとめ
　よって、上記訂正は、特許法第１２０条の４第２項及び同条第３項において準用する特許法第１２６条第２〜３項の規定に適合するので、当該訂正を認める。
　
３．特許異議の申立てについて
（１）申立ての理由の概要
　特許異議申立人渡部廣美は、請求項１乃至１１に係るそれぞれの発明は、特許法第２９条第２項の規定に該当し、また、請求項１に係る発明及び請求項１を引用する請求項２乃至１１に係る各発明は特許法第３６条第４項の規定を満たさないものであるから、請求項１乃至１１に係る発明の特許は、特許法第１１３条の規定により取り消されるべきであると主張している。
（２）判断
（ｉ）請求項１乃至５、請求項７乃至１１に係るそれぞれの発明について
　請求項１乃至５、請求項７乃至１１に係るそれぞれの発明は、 訂正の結果削除されており、特許異議申立の対象が存在しない。
（ｉｉ）請求項６に係る発明について
　請求項６に係る発明は、訂正により請求項１に繰り上げられているところ、その発明は、次のとおりのものである（以下、本件発明という。）。
「基地局に対し無線で送受信を行う通信制御手段を有する無線携帯端末部と、ユーザーからの入力を受け付け処理する入力処理手段及び処理したデータを記憶するデータ記憶手段を有する携帯情報処理端末部とを備え、電源として電池を使用する無線携帯情報端末装置において、更に、前記無線携帯情報端末装置内での処理の内容や処理の有無に応じて、当該端末装置に供給する電力の消費量が互いに異なる動作状態のいずれかに切り替える動作状態切替手段と、前記動作状態を切り替えたとき前記電源の電源電圧の検出を行う電源電圧検出手段と、前記電源電圧検出手段が検出した電源電圧値と前記動作状態に応じた放電データとから電池残量レベルを決定する電池残量レベル決定手段とを含むことを特徴とする無線携帯情報端末装置。」
（特許法第３６条第４項違反について）
　特許登録時の請求項６は、請求項５を引用し、請求項５は請求項２を引用し、請求項２は請求項１を引用しているところ、請求項１の「処理量に応じ」との点は、本件発明においては、「無線携帯情報端末装置内での処理の内容や処理の有無に応じて」と訂正されており、特許異議申立人のいう不備は解消されている。
（特許法第２９条第２項違反について）
  特許異議申立人が提出した甲第１号証（特公平３−６９４５４号公報）には、データ通信方式に関する発明が記載されており、「従来、基地局である親送信機と移動局である複数の携帯用個別呼出受信機や携帯用データ通信端末等とを無線で接続したデータ通信方式が実用化されている。・・・従来の通信データ方式における親送信機(以下「親機」と云う)から各端末受信機(以下「子機」と云う)へ送信される伝送信号のフレーム構成を示す線図である。」（第１頁第１欄第１９行〜第２欄第９行）、「親機は各子機へ伝送する送信頻度を考慮して２種の送信モードを具えるものとし、モードＩでは全ての子機へ伝送信号を割り当て所定の順序に従ってＴ0の周期で送信する。そして、モードＩの状態で連続して６０個送出した伝送信号中に特定の子機へ伝送すべき情報がない場合には当該子機に対する伝送モードをモードＩＩに移行させる。モードＩＩでは１２０Ｔ0の周期で当該子機に対する伝送信号を割り当てる。」（第２頁第４欄第１２〜２０行）、「子機も2種類の受信モードを具え、親機から送出される伝送信号に応じて受信モードを移行させる。・・・。また、親機が送信モードＩＩに移行したときは子機もこれに対応して受信モードＩＩに移行して親機の送信周期と等しい周期で受信動作を行うものとする。」（第２頁第４欄第３２〜３５行）、「伝送信号を受信するに当り各子機はまず同期ビットコードを受信し調歩同期しながら受信すべき子機の識別コードを受信して、自己の識別コードが含まれていない場合には後続する情報信号フレーム受信することなく受信動作を停止し、自己の識別コードが含まれ且つ情報信号フレームに情報データが含まれている表示がある場合は情報信号フレームまで受信する。」（第２第４欄第４４行〜第３頁第５欄第８行）、「第5図は本発明による子機の回路構成を示すブロック図である。・・・受信後は受信回路をオフして電池のパワーセービングを図っている。」（第３頁第６欄第２０〜２５行）、「本例ではタイマ回路を受信回路に接続して・・・受信後は受信回路をオフして電池のパワーセービングを図っている。」（第３頁第６欄第２１行〜同頁同欄第２５行）、「子機は半日(12時間)稼動するものとし・・・信頻度の少ない子機では電池の寿命を13倍に延長することができることを意味する。」（第４頁第７欄第３１行〜第８欄第１８行）と説明されている。
　同じく、特許異議申立人の提出した甲第２号証（特開昭６３−７０３２１号公報）には、マイクロプロセッサに関する発明が記載されており、特許請求の範囲には、「処理内容に応じて駆動クロックの周波数を異ならせる」点が記載され、また、第２頁右上欄第１８行〜左下欄第１１行には、「外部から高速処理要求信号が加えられると、クロック回路2の分周器4はプリセットされている高速処理実行のための分周比設定データに従って高速処理に必要な高速クロックを出力する。・・・。このようにして高速処理が完了すると、マイクロプロセッサ1は高速処理待機状態に設定するための制御信号を分周器4に出力し、第2の状態から前述の第1の状態に復帰する。」と説明されている。
　同じく、特許異議申立人の提出した甲第３号証（特公平７−７６８９４号公報）には、プロセッサ用クロック信号の制御方法及び情報処理システムに関する発明が記載されており、「プロセッサへのクロック信号の供給状態を制御するプログラム（クロック制御プログラム）を設け、このクロック制御プログラムに最下位の優先度を与えると、このクロック制御プログラムを実行する以外には他に実行すべきタスクがない場合、即ち、プロセッサを停止させてもよい場合にだけこのクロック制御プログラムが走ることになる。従って、システム・タイマーの示す時間間隔毎にプロセッサへのクロック信号の供給を間違えなくオン・オフ制御することができるのである。また、プロセッサへのクロック信号の供給を停止させる場合に限らず、クロック信号の周波数を低下させるような制御であってもよい。」（第４頁第７欄第４６行〜第８欄第８行）、「第3図において、ステップＳＩＩで優先度が最下位以外の或るアプリケーション・プログラムが実行されている。・・・。・・・ステップＳ２３にてクロツク信号の供給が停止する。」（第５頁第１０欄第３６行〜第６頁第１１欄第１２行）と説明されている。
　同じく、特許異議申立人の提出した甲第４号証（特開平７−２１２２９５号公報）には、携帯電話機に関する発明が記載されており、「セルラー用電池9を使用状態で制御部1がセルラー用電池9の残量を検出するための信号を定期的に電池残量検出部15に送り、電池残量検出部15は電源部2のセルラー用電池9の残量を検出する。」（第３頁第３欄第３７〜４１行）、「コードレス用電池10を使用する状態で制御部1がコードレス用電池10の残量を検出するための信号を定期的に電池残量検出部15に送り、電池残量検出部15は電源部2のコードレス用電池10の残量を検出する。」（第３頁第４欄第８〜１２行）と説明されている。
　同じく、特許異議申立人の提出した甲第５号証（特開平６−２２４８４４号公報）には、ディジタル無線通信装置に関する発明が記載されており、「電池電圧の測定、および残量の判定表示を行う期間を、図3に示すごとく受信スロット期間およびアイドルスロット期間に限定している。」（第４頁第６欄第２４〜２６行）と説明されている。
　同じく、特許異議申立人の提出した甲第６号証（特公平２−５６６８８号公報）には、携帯用端末装置に関する発明が記載されており、「第１図において、１は各部を制御する制御部であり、電池４の電圧と制御部１によって選択される基準電圧レベルとを比較し、その結果を制御部１に知らせるためのものである。５はメモリ部であり、携帯用端末装置としてのプログラムやキー入力部７，バーコード入力部８，伝送インターフェイス部９等からのデータを記憶し、各部を制御するデータを制御部１に与えるものである。」（第１頁第２欄第１８〜２６行）、「消費電流の大きいものを制御する場合は、制御部1が電池電圧検出手段2に対して、第2図、第3図に示す低い方の基準電圧レベルＢを指定する。そして、消費電流の小さいものを制御する場合は高い方の基準電圧Ａを指定する。」（第２頁第３欄第２０〜２５行）、「第2図イ、ロはそれぞれ消費電流が小さい場合、大きい場合の電池の放電特性図である。消費電流が小さい場合は、基準電圧レベルを高いレベルＡに、消費電流が大きい場合は、基準電圧レベルを低いレベルＢにそれぞれ設定する。このようにすることにより、電池を効率よく使用することができることを示している。」（第２頁第３欄第３０行〜第４欄第２行）と説明されている。
　同じく、特許異議申立人の提出した甲第７号証（特開平１−２１７２８１号公報）には、電池容量表示装置に関する発明が記載されており、「電池容量の異なるレベルに対応して設けられた複数の表示部の点灯数を、電池容量の増減に応じて増減する電池容量表示装置において、完全放電時及び全容量の10％に対応する表示部及びこの表示部より低い容量に対応する表示部を点滅せしめるとともに、充電中は容量の増加に応じて表示部の点灯するを増加せしめ、放電中は各時点の容量に対応する表示部のみを点灯せしめる。」（第１頁右下欄第２０行〜第２頁左上欄第８行）、「（D3）はローバッテリー検出回路であり、前記モータ（Ｍ）への電池（Ｂ）の供給電圧を監視し、電池（Ｂ）の容量が減少しこの電圧が低下したことを前記マイコン（ＭＣ）の入力ポート（Ｐ7）へ入力する。」（第２頁右上欄第１３〜１７行）、「電池（Ｂ）が放電状態にあると判断する。このときマイコン（ＭＣ）の出力ポート（Ｐ0）〜（Ｐ5）は放電の深度（タイマーの経過時間）に応じ、「Ｈ」出力が（Ｐ0）→（Ｐ4）→（Ｐ3）→（Ｐ2）の順番で個別に出されるので、表示も各容量に応じて一つの発光ダイオードの点灯のみとなる。この状態は９０％〜３０％の容量範囲で行われ、容量が１０％になるとローバッテリー検出回路（Ｄ３）がこのときの電池（Ｂ）の端子電圧を検出し、マイコン（MC）にその検出信号を入力する。するとマイコン（MC）は充電時における容量１０％のときと同様２００msecの発光ダイオード（L0）、（L1）による点滅となる。そして完全に放電してしまうと発光ダイオード（L0）のみの点滅となる。」（第３頁左上欄第１６行〜右上欄第１０行）と説明されている。
　同じく、特許異議申立人の提出した甲第８号証（特開平５−２６４６８０号公報）には、電池残量表示装置に関する発明が記載されており、「ノートパソコン１の電池電圧検出器６は、一定時間ごとにそのノートパソコン１に内蔵している充電式の電池５の電圧を監視する。一定時間毎というのは、予め設定しておくが１分程度で十分である。」（第２頁第２欄第１４〜１７行）、「電池電圧検出き６はその検出した電圧データを前記一定時間毎に表示素子制御器７に送る。つぎに表示素子制御器７は、一定時間ごとにその電圧データを演算処理し、その内蔵充電式電池５の残量を計算する。電圧データから電池残量の演算は、予め定められた演算方法で計算するように設定しておく。計算結果は例えば４段階にその残量を分類する。その４段階に分割した分類に対応して、４個の表示素子４を制御し、その電池残量に比例した数の表示素子４を段階表示する」（第２頁第２欄第１８〜２６行）と説明されている。
　同じく、特許異議申立人の提出した甲第９号証（特開平８−５１７３０号公報）には、電池の充電装置に関する発明が記載されており、特許請求の範囲の欄には、「【請求項１】充電電源と非充電電池との間に接続されたスイッチング素子と、電池の電池電圧を検出する電池電圧検出手段と、該電池電圧検出手段の検出出力を所定時間間隔でサンプリング入力し、電池電圧が所定状態に到達した時に満充電と検出し、前記スイッチング素子を介して充電を停止させる制御手段とを有する電池充電装置であって、電池の状態に対応して充電電流を切り換える充電電流切換手段と、充電電流に対応して前記サンプリング時間を切り換えるサンプリング時間切換手段とを備えたことを特徴とする電池の充電装置。」と記載されている。
　また、当審において通知した取消理由で引用した刊行物１（特開平６−２１４６８２号公報）には、携帯型電子機器に関する発明が記載されており、「本発明は、無線通信により所望の情報をデータ処理するコンピュータユニットを備えた携帯型電子装置に関するものである。」（パラグラフ【０００１】）、「図において、１はコンピュータユニットで、情報、命令などを入力するキーボード、入力情報、処理結果などを表示する表示装置、データ及び後述するフローチャートに示す処理手順等を記憶したメモリ、メモリに記憶された処理手順に従ってデータを処理する処理手段、処理手順で処理された情報を外部に通信する通信インタフェース等を有する。かかるコンピュータユニット１は制御線８を介してサブＣＰＵ２と接続され、かかるサブＣＰＵ２は、データ及び後述するフローチャートに示す処理手順を実行するプログラムを記憶したメモリ、メモリに記憶されたプログラムに従ってデータを処理する処理手段、処理手順で処理された情報を外部に通信する通信インタフェース等を有する。」（パラグラフ【００１８】、【００１９】）、「３は無線送受信ユニットで、アンテナ４を介して図示しない外部機器と通信する。」（パラグラフ【００２０】）、「６は、電源監視ＩＣでバッテリ５からの電源電圧状態を監視し、」（パラグラフ【００２１】）と説明されている。
　同じく、当審において通知した取消理由で引用した刊行物１１（特開平７−２４１０３９号公報）には、バッテリ残量検出装置に関する発明が記載されており、「無線部２４の負荷状態が、予め定められた第１の負荷状態に設定される（Ｓ１０１）。第１の負荷状態では、無線部３８がスイッチオンに設定され、送信部３６がスイッチオフに設定されている。無線部３８が、第１の負荷状態に設定された後、ＣＰＵ３０は、デジタル電圧値を入力することにより、電源電圧値を検出する（Ｓ１０２）。検出された電源電圧値は、ＣＰＵ３０により、第１の電源電圧値として、ＲＡＭ３２に記憶される（Ｓ１０３）。つづいて、無線部２４の負荷状態が、予め定められた第２の負荷状態に設定される（Ｓ１０４）。第２の負荷状態では、無線部３８および送信部３６がスイッチオンに設定されている。なお、第２の負荷状態の方が、第１の負荷状態よりも重い負荷に設定されている。無線部３８が、第２の負荷状態に設定された後、ＣＰＵ３０は、デジタル電圧値を入力することにより、電源電圧値を検出する（Ｓ１０５）。検出された電源電圧値は、ＣＰＵ３０により、第２の電源電圧値として、ＲＡＭ３２に記憶される（Ｓ１０６）。ＣＰＵ３０は、無線部２４の第２の負荷状態を解除し（Ｓ１０７）、第１および第２の電源電圧値から推定される電池容量残量の安全臨界電圧値ＶＴを、無線部２４に設定する（Ｓ１０８）。なお、安全臨界電圧値ＶＴについては、後述する。ＣＰＵ３０は、第２の電源電圧値と、安全臨界電圧値ＶＴとを比較する（Ｓ１０９）。この比較において、第２の電源電圧値の方が、安全臨界電圧値ＶＴよりも大きいときは、ＣＰＵ３０は電源電圧の検出処理を中止する（終了）。一方、安全臨界電圧値ＶＴの方が、第２の電源電圧値よりもおおきいときは、ＣＰＵ３０は、後述するアラーム割り込み処理に移行する（Ｓ１１０）。」と説明されている。
　本件発明と上記の各甲号証及び刊行物記載の発明とを対比すると、上記の各甲号証及び刊行物記載の発明には、本件発明の、「電源電圧検出手段が検出した電源電圧値と前記動作状態に応じた放電データとから電池残量レベルを決定する電池残量レベル決定手段」が見あたらない。
　そして、電源電圧検出手段が検出した電源電圧値と動作状態に応じた放電データとから電池残量レベルを決定する電池残量レベル決定手段を設けることが、本件出願前自明のことであるとも、また周知のものであるともいえないから、結局のところ、本件発明が上記の各甲号証及び刊行物記載の発明に基き当業者が容易に発明をすることができたとすることはできない。
　
４．むすび
　以上のとおりであるから、特許異議申立ての理由及び証拠によっては、本件発明の特許を取り消すことはできない。
　また、他に本件発明の特許を取り消すべき理由を発見しない。
　
　よって、結論のとおり決定する。
【異議決定日】
平成１２年８月８日（２０００．８．８）
【訂正の要旨】
　訂正の要旨
　▲１▼訂正事項ａ
　特許明細書に記載された請求項１乃至１１のうち、請求項１乃至５および７乃至１１を削除し、請求項６につき本請求書に添付した訂正明細書の特許請求の範囲の請求項１
　「基地局に対し無線で送受信を行う通信制御手段を有する無線携帯端末部と，ユーザーからの入力を受け付け処理する入力処理手段及び処理したデータを記憶するデータ記憶手段を有する携帯情報処理端末部とを備え，電源として電池を使用する無線携帯情報端末装置において、更に，
前記無線携帯情報端末装置内での処理の内容や処理の有無
と、前記動作状態を切り替えたとき前記電源の電源電圧の検出を行う電源電圧検出手段と、前記電源電圧検出手段が検出した電源電圧値と前記動作状態に応じた放電データとから電池残量レベルを決定する電池残量レベル決定手段とを含む
　のごとく訂正する。
　これに伴い、特許請求の範囲と発明の詳細な説明の記載との整合を取るため、明細書の段落００１０の記載を明りょうでない記載の釈明を目的として
　「【課題を解決するための手段】　本発明の無線携帯情報端末装置は，基地局に対し無線で送受信を行う通信制御手段を有する無線携帯端末部と，ユーザーからの入力を受け付け処理する入力処理手段及び処理したデータを記憶するデータ記憶手段を有する携帯情報処理端末部とを備え，電源として電池を使用する無線携帯情報端末装置において、更に，
前記無線携帯情報端末装置内での処理の内容や処理の有無
と、前記動作状態を切り換えたとき前記電源の電源電圧の検出を行う電源電圧検出手段と、前記電源電圧検出手段が検出した電源電圧値と前記動作状態に応じた放電データとから電池残量レベルを決定する電池残量レベル決定手段とを含む
と訂正する。
（５４）【発明の名称】
無線携帯情報端末装置
（５７）【特許請求の範囲】
　【請求項１】　基地局に対し無線で送受信を行う通信制御手段を有する無線携帯端末部と，ユーザーからの入力を受け付け処理する入力処理手段及び処理したデータを記憶するデータ記憶手段を有する携帯情報処理端末部とを備え，電源として電池を使用する無線携帯情報端末装置において、更に，
前記無線携帯情報端末装置内での処理の内容や処理の有無
と、前記動作状態を切り替えたとき前記電源の電源電圧の検出を行う電源電圧検出手段と、前記電源電圧検出手段が検出した電源電圧値と前記動作状態に応じた放電データとから電池残量レベルを決定する電池残量レベル決定手段とを含む
【発明の詳細な説明】
　【０００１】
　【発明の属する技術分野】
　本発明は，電池を電源として使用する無線携帯情報端末装置に関する。
　【０００２】
　【従来の技術】
　電池を電源として使用する装置における電源電圧の検出方式の従来例として，特開平４−１７１４２９号公報（以下，従来技術１と呼ぶ）に示されるように，電源電圧の検出時に電源に対して負荷電流を流して，その時の負荷抵抗から電池の状態を判定するものがある。
　【０００３】
　図１５は上記従来技術１の検出方式を示す構成図である。図１５を参照すると，電源である電池１０１の電池電圧（Ｖｃｃ）を検出する前ＣＰＵ１０２はＥＥＰＲＯＭ１０３から重負荷デューティ（電池残量最大の判定用）と軽負荷デューティ（電池残量不十分の判定用）を読み込む。次に，ＥＥＰＲＯＭ１０３から読み込んだ重負荷デューティの値に従って，ＣＰＵ１０２は，トランジスタ１０４をデューティ駆動する。尚，コンデンサ１０７及びダイオード１０８は，電源フィルタを構成する。ダミー負荷１０５には，ダミー負荷電流が流れるため，電池電圧（Ｖｃｃ）は，徐々に下がっていく。この時，電圧検出ＩＣ１０６にかかる電圧（Ｖｄｄ）も同じように下がる。ここで，ＣＰＵ１０２は，電圧検出ＩＣ１０６の出力が判定電圧に達したか否かを判断し，ハイレベルのままである場合には，ダミー負荷１０５へ通電開始後１０ｍｓ経過したか否かを判断する。１０ｍｓ終過していない場合には，判定電圧に達したか否かの判断に戻る。上記の検出手段を用いると電池１０１の残量が最大の場合には，電池電圧（Ｖｃｃ）の低下も少ないために，電圧検出ＩＣ１０６にかかる電圧も判定電圧に達しないので，１０ｍｓ経過後，ＣＰＵ１０２は電池残量大と判断し，結果をユーザーに示した後，ダミー負荷１０５への通電を停止して，電池電圧の検出を終了する。
　【０００４】
　【発明が解決しようとする課題】
　しかしながら，前述の従来技術における検出方式において，電池電圧の検出時にダミー負荷へ不要な電気を流すことや電池電圧を検出するタイミングを考慮していないため，電池容量が十分ある場合でも，頻繁に検出を行うことが起こり得るので，電池電圧の検出を行うのに不要な電力を消費してしまい，使用時間が短くなってしまうという欠点を有した。さらに，電池の残量が十分でない時，ダミー負荷をかけることにより，電圧が降下し，回路が誤動作する可能性があるという欠点を有した。その理由は，電池自体は残量は不足してきているが，低消費電力回路であれば十分動作し得る電流を供給できるような状態が起こり得るからである。その際，ダミー負荷に電源を供給しはじめるときは，一時的に多大な電力が流れるため，一時的に周辺回路への供給電圧が降下することがあるからである。
　【０００５】
　もう一つの理由は，周辺回路に供給する電源やクロックをＯＮ／ＯＦＦしたりすることによって，電源にかかる負荷が変動し，電池電圧の検出を正確に行えないためである。
　【０００６】
　この理由を図１５を再び用いて具体的に説明する。図１５の従来例では，負荷（周辺回路の動作状態）１０９が一定でないため，負荷１０９へ流れる電流値が変動し，電池電圧の検出を正確に行えない。
　【０００７】
　そこで，本発明の一技術的課題は，電池電圧の検出を行うために不要な電力を消費することを防ぎ，可能な限り端末の使用時間を延ばすことができる無線携帯情報端末装置を提供することにある。
　【０００８】
　また，本発明の他の技術的課題は，無線携帯情報端末装置における電源電圧低下による端末の誤動作を防止することにあり，上記誤動作により蓄積されたデータ，プログラムを破壊することを防止することができる無線携帯情報端末装置を提供することにある。
　【０００９】
　さらに，本発明の別の技術的課題は，電圧検出を行うための回路を簡易化し製品を安価で供給することができる無線携帯情報端末装置を提供することにある。
　【００１０】
　【課題を解決するための手段】
　本発明の無線携帯情報端末装置は，基地局に対し無線で送受信を行う通信制御手段を有する無線携帯端末部と，ユーザーからの入力を受け付け処理する入力処理手段及び処理したデータを記憶するデータ記憶手段を有する携帯情報処理端末部とを備え，電源として電池を使用する無線携帯情報端末装置において、更に，
前記無線携帯情報端末装置内での処理の内容や処理の有無
と、前記動作状態を切り替えたとき前記電源の電源電圧の検出を行う電源電圧検出手段と、前記電源電圧検出手段が検出した電源電圧値と前記動作状態に応じた放電データとから電池残量レベルを決定する電池残量レベル決定手段とを含む
　【００１１】
　【００１２】
　また，本発明の無線携帯情報端末装置は，前記無線携帯情報端末装置において，前記電源の電源電圧の検出を行う電源電圧検出手段を備えていることを特徴としている。
　【００１３】
　ここで，本発明の無線携帯情報端末装置では，電池電圧の検出時は動作状態を一定にし，予め用意した放電データをもとに電池残量レベルを検出する。加えて，検出を行う周期を最適化する。
　【００１４】
　より，具体的には，電池電圧の検出時は動作状態を一定にする動作状態固定手段と，動作状態と周辺回路の動作の有無が変化したことを通知する動作状態切替通知手段及び周辺動作変化通知手段と，電源電圧の検出時に周辺回路の動作の有無が変化したときに，再度電源電圧を検出する電源電圧再検出手段と，検出し電源電圧値と動作状態と周辺回路の動作の有無に応じた放電データとから電池残量レベルを検出する残量レベル検出手段と，電池残量レベルをユーザーに表示する表示手段と，電池残量レベルに応じて，電源電圧の検出要求を行う周期を設定する電源電圧周期設定手段とを有する。
　【００１５】
　【発明の実施の形態】
　次に，本発明の実施の形態について図面を参照して詳細に説明する。
　【００１６】
　（第１の実施の形態）
　図１は本発明の第１の実施の形態による無線携帯情報端末装置の使用例を示す図である。図１に示すように，無線携帯情報端末装置（以下，端末と呼ぶ）５０は，通信制御手段，入力処理手段，及び記憶手段（いずれも図示せず）を備え，基地局５１と回線網５２とを介してサービスセンタ５３との間でデータを送受信したり，基地局５１と回線網５２とを介して電話による通信を行ったり，他の端末５０´との間で有線／無線によるデータの送受信を行ったり，パソコン（ＰＣ）５５やキーボード等の入力装置５６により住所やスケジュール等の情報を処理することが可能である。
　【００１７】
　図２は，本発明の第１の実施の形態による無線携帯情報端末装置の動作状態の例を示す図である。図２に示すように，特に電池の使用時間の延長を図る目的で，電力消費量の異なる「動作状態１，２，３，及び４」を持つ。電力消費量が大きければ，大きい程，実行処理速度が速い「動作状態１」に近づく。一方，電力消費量が小さければ，小さい程，実行速度が遅い「動作状態４」に近づく。このように，端末５０は，処理量に応じて動作状態を切り替えることが可能である。
　【００１８】
　図３は本発明の第１の実施の形態による無線携帯情報端末装置の構成を示すブロック図であり，図１で示した無線携帯情報端末の使用例において，ペンまたはキーボード等の入力装置５６により住所やスケジュール等の情報を処理する目的で使用し，図２で示した処理量に応じて動作状態を切り替える場合の構成図である。
　【００１９】
　図３を参照すると，端末５０ａは，電源１，入力装置２，ランダムアクセスメモリ（ＲＡＭ）３，中央処理装置（ＣＰＵ）４，表示装置５，記憶装置６，入力処理部７，データ変換処理部８，データ保存処理部９，表示処理部１０，処理検出部１１，電源電圧検出部１２，電池残量レベル検出部１３，及び要求処理部Ａ・１４とを備えている。ここで，入力処理部７，データ変換処理部８，データ保存処理部９，表示処理部１０，処理検出部１１，電源電圧検出部１２，電池残量レベル検出部１３，及び要求処理部Ａ・１４は，直列に接続されているように図示されているが，実際は，共通のデータ及びバスラインに夫々接続されており，夫々互いに接続されている構成を有している。
　【００２０】
　入力処理部７は，ペンやキーボード等の入力装置２から入力されたデータを受け取る入力処理手段をなす。
　【００２１】
　データ変換処理部８は，入力したデータを住所録やスケジューラー等のプログラムが受け取ることが可能なデータに変換するデータ変換手段をなす。
　【００２２】
　データ保存処理部９は，プログラム上で作成したデータもしくは受信したデータを保存するデータ保存手段をなす。
　【００２３】
　表示装置５は実際にデータの表示を行う。
　【００２４】
　記憶装置６は，データ保存手段からのデータを実際に保持するデータ記憶手段をなす。
　【００２５】
　表示処理部１０は，プログラムやデータを表示装置５に表示させる表示手段をなす。
　【００２６】
　処理検出部１１は，各処理部で行っている処理の内容や処理の有無を検出する処理内容検出手段と，検出結果をもとにＣＰＵに対して動作状態の切り替えを要求する動作状態切替要求手段と，動作状態を切り替えたことを電池残量レベル検出部に通知する動作状態切替通知手段と，電源電圧の検出時に動作状態を一定に保つ動作状態固定手段とを構成する。
　【００２７】
　ＣＰＵ４は，処理検出部１１からの命令により動作状態を切り替える動作状態切替手段をなす。
　【００２８】
　電源電圧検出部１２は，端末に使用される電源電圧を検出する電源電圧検出手段をなす。
　【００２９】
　電池残量レベル検出部１３は，電源電圧検出手段によって検出された電源電圧値と動作状態に応じた放電テーブルとから電池残量レベルを検出する電池残量レベル検出手段と，電池残量レベルを表示装置５に表示する電池残量レベル表示手段とを構成する。
　【００３０】
　要求処理部Ａ・１４は，設定した周期で電源電圧検出要求を行う電源電圧検出要求手段と，電源電圧の検出中であることを処理検出部１１に通知する電源電圧検出通知手段とを構成する。
　【００３１】
　以上の各処理部及び装置は，ＲＡＭ３とＣＰＵ４とを介して制御される。
　【００３２】
　図４は，本発明の実施の形態による電源電圧及び電池電圧レベル検出手段の概念を示す図である。図４に示すように，電池電圧の検出時，ＣＰＵ及びＥＥＰＲＯＭを含む負荷３２の状態を固定し，Ａ／Ｄコンバータ３１により電源電圧値を正確に検出する。また，従来技術に示したようなダミー負荷１０５は使用しない。
　【００３３】
　次に，図３の端末５０の動作について説明する。図５は，本発明の第１の実施の形態による無線携帯端末装置の動作手順を示すフローチャートである。図５のフローチャートに従って，図３の構成図を用いて説明する。
　【００３４】
　図５に示すように，ユーザによって端末５０ａの電源１がＯＮされる（ステップＳＡ１）と，記憶装置６（記憶手段）に格納されていたＯＳがＲＡＭ３に展開され，装置の動作確認及び初期設定を行う（ステップＳＡ２）。
　【００３５】
　要求処理部Ａ・１４は，電池電圧を検出する周期で起動されるようにタイマーを設定する（電源電圧検出要求手段，ステップＳＡ３）。
　【００３６】
　アプリケーシヨンプログラムが起動し，表示処理部１０（表示手段）が，表示装置５にアプリケーシヨンの画面を表示し，ユーザーからの入力を待ち，入力があれば，入力処理部７，データ変換処理部８，及びデータ保存処理部９を用いた処理を行う通常の処理状態に入る（ステップＳＡ４）。
　【００３７】
　この状態で，処理検出部１１は，各処理部で行っている処理の内容や処理の有無を検出し（処理内容検出手段），検出結果をもとにＣＰＵ４に対して動作状態の切り替えを要求し（動作状態切替要求手段），ＣＰＵ４が動作状態を切り替えた（動作状態切替手段）ときは，電池残量レベル検出部１３にその旨を通知（動作状態切替通知手段）しておく（ステップＳＡ５）。
　【００３８】
　要求処理部Ａ・１４は，前記設定した周期で起動されると，処理検出部１１に対して，電源電圧検出の開始通知を発行する（電源電圧検出通知手段，ステップＳＡ６）。
　【００３９】
　この時，処理検出部１１は，前記通知を受け取ると，ＣＰＵ４に対して動作状態を切り替えるための命令を発行せず，現在の動作状態に固定する（動作状態固定手段，ステップＳＡ７）。
　【００４０】
　また，要求処理部Ａ・１４は，開始通知発行後，電源電圧検出部１２に対して，電池電圧の検出要求を発行する（電源電圧検出要求手段，ステップＳＡ８）。
　【００４１】
　電源電圧検出部１２は，電池電圧の検出要求を受け取ると電圧値の検出を行い（ステップＳＡ９段階），電源電圧の検出が終了すると，電源電圧の検出が終了したことを処理検出部１１に対して通知する（電源電圧検出手段）。
　【００４２】
　電池残量レベル検出部１３は，動作状態に応じた放電データを読み込み，放電データと電圧値とから電池残量レベルを検出し（電池残量レベル検出手段，ステップＳＡ１０段階），前記レベルを表示装置５に表示する（電池残量レベル表示手段，ステップＳＡ１１段階）。
　【００４３】
　処理検出部１１は，電源電圧検出部１２からの検出終了通知を受け取る（ステップＳＡ１２段階）と，動作状態の固定化を解除し（動作状態固定手段），通常の処理状態に戻る（ステップＳＡ１３）。
　【００４４】
　ユーザーが携帯情報端末装置５０ａの電源１をＯＦＦするか，ユーザーからの入力が一定時間ない（ステップＳＡ１４）と，処理検出部１１は，ＣＰＵ４に対して動作状態切替要求を出し，最も消費電力量の小さい動作状態に遷移させる（ステップＳＡ１５）。この状態においても，要求処理部Ａ・１４は検出周期になると自動的に起動し（電源電圧検出要求手段），電源電圧の検出を行う処理を繰り返す。
　【００４５】
　下記表１は，図２に示したように，本発明の第１の実施の形態による携帯無線情報端末で使用する動作状態を更に具体的に示すものである。
　【００４６】
　【表１】
　上記表１において，動作状態１はＣＰＵ４の処理クロックが最速で，端末にかかわる全ての周辺回路に対してクロックを供給している状態である。
　【００４７】
　また，動作状態２はＣＰＵ４の処理クロックを動作状態１と比較して１／４から１／３２遅くする状態である。
　【００４８】
　また，動作状態３はＣＰＵ４の処理クロックと，使用していない周辺回路に対して供給しているクロックを停止する状態である。
　【００４９】
　さらに，動作状態４はＲＴＣ（ｒｅａｌ　ｔｉｍｅ　ｃｌｏｃｋ　）タイマーを除く全ての回路に供給するクロックを停止し，表示装置５をＯＦＦにし，ＲＡＭ３をセルフリフレッシュモードに設定する状態である。
　【００５０】
　次に，本発明の第１の実施の形態で使用する動作状態の遷移概念を示した１例を，図６を用いて説明する。図１を参照すると，電源１をＯＮした時の最初の動作状態を動作状態１とする。はじめに，ユーザーからの入力によりクリアされるタイマーを設定する。動作状態１において，クロックによるノイズで通信状態を妨げたくない場合は，動作状態２に切り替えるためにＣＰＵ４に対して命令を発行する。また，動作状態１または動作状態２において，ＣＰＵ４で行う処理がない場合は，動作状態３に切り換えるためにＣＰＵ４に対して命令を発行する。前記設定したタイマーにより割り込みが発生すると，ＣＰＵ４で行う処理があるかどうか確認し，処理がない場合は動作状態３に切り替えるためにＣＰＵ４に対して命令を発行する。ユーザーが，ペンやキーボードから入力を行った時や設定したタイマーでＣＰＵ４に対して割り込みが発生した場合，ＣＰＵ４が自動的に動作状態１へ変化させる。
　【００５１】
　下記表２は，本発明の実施の形態による携帯無線情報端末装置で使用する動作状態に応じた放電テーブルの１例を示すものである。動作モードと検出した電圧値により電池残量レベルを決定する。この例では，５つの電池残量レベルを使用する。レベル５は，図７に示す電池の放電特性の例において０〜２０％の放電容量，レベル４は２０〜４０％の放電容量，レベル３は４０〜６０％の放電容量，レベル２は６０〜８０％の放電容量，レベル１は８０〜１００％の放電容量の状態を示す。放電容量とは電池の全容量に対してどのくらいの電気を使用したかを示すものである。
　【００５２】
　【表２】
　（第２の実施の形態）
　次に，本発明の第２の実施の形態について図面を参照して詳細に説明する。
　【００５３】
　図８は，図１で示した無線携帯情報端末装置の使用例を全て使用し，図２で示した動作状態を持たない場合の構成図である。図８を参照すると，本発明の第２の実施の形態による端末１０ｂは，大きく分けて，基地局５１に対し無線で送受信を行う通信制御手段をなす無線携帯端末部１５と，ユーザーからの入力を受け付け処理する入力手段と，処理したデータを記憶する記憶手段と，他の端末との間でデータを送受信するデータ送受信手段を備えた携帯情報処理端末部１６とからなる。
　【００５４】
　無線携帯端末部１５は，信号の送受信を行う送受信手段を有する送受信処理部２３と，受信した信号をデータに変換したり，送信するデータを信号に変換する信号処理部２４とからなり，ＣＰＵ２１やＲＡＭ２２を介して処理を行う。
　【００５５】
　携帯情報端末部１５は，電源１，入力装置２，ＲＡＭ３．ＣＰＵ４，表示装置５，記憶装置６，入力処理部７，データ変換処理部８，データ保存処理部９，表示処理部１０，電源電圧検出部１２，電池残量レベル検出部１３，要求処理部Ａ・１４，有線送受信装置１７，無線送受信装置１８，送受信処理部１９，及び電源制御処理部２０とを備えている。これら，入力処理部７，データ変換処理部８，データ保存処理部９，表示処理部１０，電源電圧検出部１２，電池残量レベル検出部１３，及び要求処理部Ａ・１４は，図においては，直列に接続されているように，図示されているが，共通のデータラインまたはバスラインに並列に接続されており，互いに夫々接続されている構成を有している。
　【００５６】
　ここで，電源１は電池等の可搬性のあるものからなる。
　【００５７】
　また，入力処理部７は，ペンやキーボード等の入力装置２から入力されたデータを受け取る入力処理手段をなす。
　【００５８】
　データ変換処理部８は，入力したデータを住所録やスケジューラー等のプログラムが受け取ることが可能なデータに変換するデータ変換手段をなす。
　【００５９】
　データ保存処理部９は，プログラム上で作成したデータもしくは受信したデータを保存するデータ保持手段をなす。
　【００６０】
　記憶装置６は，実際にデータを保持するデータ記憶手段をなす。
　【００６１】
　表示処理部１０は，プログラムやデータを表示装置５に表示する表示手段をなす。
　【００６２】
　送受信処理部１９は，作成したデータや保持していたデータを他の端末に送信したり，他の端末からデータを受信する送受信手段をなす。
　【００６３】
　有線データ送受信装置１７は，実際にデータを送受信する。
　【００６４】
　電源制御処理部２０は，各装置にかかわる回路（以下，周辺回路とする）に供給する電源のＯＮ／ＯＦＦを制御するスイッチ手段と，上記電源のＯＮ／ＯＦＦを切り替えたことを電池残量レベル検出部１３に通知する周辺動作変化通知手段とを構成する。
　【００６５】
　電源電圧検出部１２は，電源電圧を検出する電源電圧検出手段と電源電圧の検出が終了したことを要求処理部Ａ・１４に通知する電源電圧検出終了通知手段とを構成する。
　【００６６】
　電池残量レベル検出部１３は，検出した電源電圧値と電源ＯＮ／ＯＦＦに応じた放電テーブルとから電池残量レベルを検出する電池残量レベル検出手段と，電池残量レベルを表示装置に表示する電池残量レベル表示手段とを構成する。
　【００６７】
　要求処理部Ａ・１４は，設定した周期で電源電圧の検出を要求する電源電圧検出要求手段を構成する。
　【００６８】
　このような処理部及び装置はＲＡＭ３とＣＰＵ４とを介して制御される。
　【００６９】
　次に，図８の無線携帯情報端末装置の動作を説明する。図９は，本発明の第２の実施の形態による無線携帯情報端末装置の動作手順を示すフローチャートである。図９のフローチャートにしたがって，図８の構成図を用いて説明する。
　【００７０】
　図９を参照すると，ユーザーによって装置の電源１がＯＮされる（ステップＳＢ１段階）と，記憶装置６（記憶手段）に格納されていたＯＳがＲＡＭ３に展開され，装置の動作確認及び初期設定を行う（ステップＳＢ２）。
　【００７１】
　要求処理部Ａ・１４は電池電圧を検出する周期で起動されるようにタイマーを設定する（電源電圧検出要求手段，ステップＳＢ３）。
　【００７２】
　アプリケーションプログラムが起動し，表示処理部１０が表示装置５にアプリケーションの画面を表示し（表示手段），ユーザーからの入力を待ち，入力があれば，入力処理部７，データ変換処理部８，及びデータ保存処理部９によって処理を行う通常の処理状態に入る（ステップＳＢ４）。
　【００７３】
　この状態で，電源制御処理部２０は，周辺回路に供給する電源のＯＮ／ＯＦＦを制御し（スイッチ手段），上記電源のＯＮ／ＯＦＦを切り替えたときは，電池残量レベル検出部１３にその旨を通知しておく（周辺動作変化通知手段）。
　【００７４】
　要求処理部Ａ・１４は，前記設定した周期で起動される（ステップＳＢ５）と，電源電圧検出部１２に対して，電池電圧の検出要求を発行する（電源電圧検出要求手段，ステップＳＢ６）。
　【００７５】
　電源電圧検出部１２は，電池電圧の検出要求を受け取ると電源電圧値の検出を行う（電源電圧検出手段，ステップＳＢ７）。
　【００７６】
　電池残量レベル検出部１３は，電源電圧値の検出が終了すると周辺回路の動作の有無に応じた放電データを読み込み（ステップＳＢ８），放電データと検出された電源電圧値とから電池残量レベルを検出し（電池残量レベル検出手段），電池残量レベルを表示装置５に表示し（電池残量レベル表示手段，ステップＳＢ９），通常の処理状態に戻る。
　【００７７】
　ユーザーが装置の電源１をＯＦＦするか，ユーザーからの入力が一定時間ないと，ＣＰＵ４は最も消費電力量の小さい動作状態に遷移させる（動作状態切替手段，ステップＳＢ１０）。この状態においても，要求処理部Ａ・１４は検出周期になると自動的に起動し（電源電圧検出要求手段），電池電圧検出部に対して検出要求を発光し，電池電圧検出部１２は，電源電圧の検出を行う処理を繰り返す（ステップＳＢ１１段階）。
　【００７８】
　（第３の実施の形態）
　次に，本発明の第３の実施の形態について図面を参照して詳細に説明する。
　【００７９】
　図１０は，図１で示した無線携帯情報端末装置の使用例を全て使用し，図２で示した動作状態を切り替える場合の構成図である。
　【００８０】
　端末１０ｃは大きく分けて，基地局２５に対し無線で送受信を行う無線携帯端末部１５と，ユーザーからの入力を受け付け処理し，処理したデータを記憶したり他の端末との間でデータを送受信する携帯情報処理端末部２５とを備えている。
　【００８１】
　無線携帯端末部２５は，信号の送受信を行う送受信手段を有する送受信処理部２３と，受信した信号をデータに変換したり，送信するデータを信号に変換する信号処理部２４とからなり，ＣＰＵ２１やＲＡＭ２２を介して処理を行う。
　【００８２】
　携帯情報端末部１５は，電源１，入力装置２，ＲＡＭ３，ＣＰＵ４，表示装置５，記憶装置６，入力処理部７，データ変換処理部８，データ保存処理部９，表示処理部１０，処理検出部１１，電源電圧検出部１２，電池残量レベル検出部１３，要求処理部Ａ・１４，有線送受信装置１７，無線送受信装置１８，送受信処理部１９，及び電源制御処理部２０とを備えている。ここで，入力処理部７，データ変換処理部８，データ保存処理部９，表示処理部１０，処理検出部１１，電源電圧検出部１２，電池残量レベル検出部１３，要求処理部Ａ・１４，送受信処理部１９，及び電源制御処理部２０は，図では直列に接続しているように示されているが，実際は，共通のデータライン又はバスラインに並列に接続されており，夫々互いに接続されている構成を有している。
　【００８３】
　電源１は電池等の可搬性のあるものからなる。
　【００８４】
　入力処理部７は，ペンやキーボード等の入力装置２から入力されたデータを受け取る入力処理手段をなす。
　【００８５】
　データ変換処理部８は，入力したデータを住所録やスケジューラー等のプログラムが受け取ることが可能なデータに変換するデータ変換手段をなす。
　【００８６】
　データ保存処理部９は，プログラム上で作成したデータもしくは受信したデータを保存するデータ保存手段をなす。
　【００８７】
　表示装置５はデータを表示する。
　【００８８】
　記憶装置６は実際にデータを保持するデータ記憶手段をなす。
　【００８９】
　表示処理部１０は，プログラムやデータを表示装置に表示する表示手段をなす。
　【００９０】
　送受信処理部１９は，作成したデータや保持していたデータを他の端末に送信したり，他の端末からデータを受信するデータ送受信処理手段をなす。
　【００９１】
　有線送受信装置１７は実際にデータを送受信する。
　【００９２】
　電源制御処理部２０は，周辺回路に供給する電源のＯＮ／ＯＦＦを制御するスイッチ手段と，上記電源のＯＮ／ＯＦＦを切り替えたことを電池残量レベル検出部１３に通知する周辺動作変化通知手段とを構成する。
　【００９３】
　処理検出部１１は，各処理部で行っている処理の内容や処理の有無を検出する処理内容検出手段と，検出結果をもとにＣＰＵ４に対して動作状態の切り替えを要求する動作状態切替要求手段と，動作状態を切り替えたことを電池残量レベル検出部１３に通知する動作状態切替通知手段と，電源電圧検出中は動作状態を一定に保つ動作状態固定手段とを構成する。
　【００９４】
　ＣＰＵ４は，処理検出部１１からの命令により動作状態を切り替える動作状態切替手段をなす。
　【００９５】
　電源電圧検出部１２は，電源電圧検出手段と，電源電圧の検出が終了したことを要求処理部Ａ・１４に通知する電源電圧検出終了通知手段とを構成する。
　【００９６】
　電池残量レベル検出部１３は，検出した電源電圧値と，周辺回路に供給する電源のＯＮ／ＯＦＦと動作状態に応じた放電テーブルとから電池残量レベルを検出する電池残量レベル検出手段と，電池残量レベルを表示装置に表示する電池残量レベル表示手段とを構成する。
　【００９７】
　要求処理部Ａ・１４は，設定した周期で電源電圧の検出を要求する電源電圧検出要求手段をなす。
　【００９８】
　これらの処理部及び装置はＣＰＵ４とＲＡＭ３を介して制御される。
　【００９９】
　次に，本発明の第３の実施の形態による無線携帯情報端末装置の動作を，図５のフローチャートにしたがって，図１０の構成図を用いて説明する。図１０を参照して，ユーザーによって装置の電源１がＯＮされる（ステップＳＡ１）と，記憶装置６（データ記憶手段）に格納されていたＯＳがＲＡＭ３に展開され，装置の動作確認及び初期設定を行う（ステップＳＡ２）。
　【０１００】
　要求処理部Ａ・１４は電池電圧を検出する周期で起動されるようにタイマーを設定する（電源電圧検出要求手段，ステップＳＡ３）。
　【０１０１】
　アプリケーションプログラムが起動し，表示処理部１０が表示装置５にアプリケーションの画面を表示し（表示手段），ユーザーからの入力を待ち，入力があれば，入力処理部７，データ変換処理部８，データ保存処理部９を用いて処理を行う通常の処理状態に入る（ステップＳＡ４）。この状態で処理検出部１１は，各処理部で行っている処理の内容や処理の有無を検出し（処理内容検出手段），検出結果をもとにＣＰＵ４に対して動作状態の切り替えを要求し（動作状態切替要求手段），ＣＰＵ４が動作状態を切り替えた（動作状態切替手段）ときは，電池残量レベル検出部１３にその旨を通知しておく（動作状態切替通知手段）。また，電源制御処理部２０は，周辺回路に供給する電源のＯＮ／ＯＦＦを制御し（スイッチ手段），上記電源のＯＮ／ＯＦＦを切り替えたときは，電池残量レベル検出部１３にその旨を通知しておく（周辺動作変化通知手段）。
　【０１０２】
　要求処理部Ａ１４は，前記設定した周期で起動されると，処理検出部１１に対して，電源電圧検出の開始通知を発行する（ステップＳＡ６）。処理検出部１１は，電源電圧検出の開始通知を受け取ると，ＣＰＵ４に対して動作状態を切り替えるための命令を発行せず，現在の動作状態に固定する（動作状態固定手段，ステップＳＡ７）。
　【０１０３】
　更に，要求処理部Ａ１４は，前記開始通知を発行した後，動作状態が固定されると，電源電圧検出部１２に対して，電池電圧の検出要求を発行する（電源電圧検出要求手段，ステップＳＡ８）。
　【０１０４】
　電源電圧検出部１２は，電池電圧の検出要求を受け取ると電源電圧値の検出を行い（電源電圧検出手段，ステップＳＡ９），電源電圧検出後，電源電圧の検出が終了したことを処理検出部１１に対して通知する（電源電圧検出終了通知手段）。
　【０１０５】
　電池残量レベル検出部１３は，動作状態と周辺回路の動作の有無に応じた放電データを読み込み（ステップＳＡ１０），放電データと検出された電源電圧値とから電池残量レベルを検出し（電池残量レベル検出手段，ステップＳＡ１１段階），前記レベルを表示装置５に表示する（残量レベル表示手段）。
　【０１０６】
　処理検出部１１は，電源電圧検出終了通知を受け取る（処理内容検出手段，ステップＳＡ１２段階）と，動作状態の固定化を解除し，通常の処理状態に戻る（動作状態固定手段の解除，ステップＳＡ１３段階）。
　【０１０７】
　ユーザーが装置の電源１をＯＦＦするか，ユーザーからの入力が一定時間ない（ステップＳＡ１４段階）と，処理検出部１１は，ＣＰＵに対して動作状態切替要求を出し（動作状態切替要求手段），ＣＰＵ４は，最も消費電力量の小さい動作状態に遷移させる（動作状態切替手段，ステップＳＡ１５）。
　【０１０８】
　この状態においても，要求処理部Ａ１４は検出周期になると自動的に起動し，電源電圧検出要求を出し（電源電圧検出要求手段），電源電圧検出部１２は，電源電圧の検出を行うという処理を繰り返す（電源電圧検出手段）。
　【０１０９】
　（第４の実施の形態）
　次に，本発明の第４の実施の形態について図面を参照して詳細に説明する。図１１は，本発明の第４の実施の形態による無線携帯情報端末装置の構成を示すブロック図であり，第３の実施の形態において，電源電圧検出結果から電池残量レベルを検出する手段を要求処理部に持たせた場合の構成図である。
　【０１１０】
　図１１を参照すると，端末５０ｄは大きく分けて，基地局２５に対し無線で送受信を行う無線携帯端末部１６と，ユーザーからの入力を受け付け処理し，処理したデータを記憶したり他の端末との間でデータを送受信する携帯処理端末部１５とからなる。
　【０１１１】
　無線携帯端末部１６は，信号の送受信を行う手段を有する送受信処理部２３と，受信した信号をデータに変換したり，送信するデータを信号に変換する信号処理部２４とからなり，ＣＰＵ２１やＲＡＭ２２を介して処理を行う。
　【０１１２】
　携帯情報処理端末１５は，電池等の可搬性のある電源１と，ペンやキーボード等の入力装置２，ＲＡＭ３，表示装置５，記憶装置６，入力処理部７，データ変換処理部８，データ保存処理部９，表示処理部１０，処理検出部１１，電源電圧検出部１２，有線送受信装置１７，無線送受信装置１８，送受信処理部１９，電源制御処理部２０，及び要求処理部Ｂ・２６を備えて構成されている。ここで，入力処理部７，データ変換処理部８，データ保存処理部９，表示処理部１０，処理検出部１１，電源電圧検出部１２，送受信処理部１９，電源制御処理部２０，及び要求処理部Ｂ・２６は図では直列に接続されているように図示されているが，実際は，一つの共通データライン又はバスラインに並列に接続されており，互いに接続されている構成を有している。
　【０１１３】
　入力処理部７は，ペンやキーボード等の入力装置２から入力されたデータを受け取る入力処理手段をなす。
　【０１１４】
　データ変換処理部８は，入力したデータを住所録やスケジューラー等のプログラムが受け取ることが可能なデータに変換するデータ変換手段をなす。
　【０１１５】
　データ保存処理部９は，プログラム上で作成したデータもしくは受信したデータを保存するデータ保存手段をなす。
　【０１１６】
　記憶装置６は，実際にデータを保持するデータ記憶手段をなす。
　【０１１７】
　表示処理部１０は，プログラムやデータを表示装置５に表示する表示手段と，電池残量レベルを表示する電池残量レベル表示手段とを構成する。
　【０１１８】
　送受信処理部１９は，作成したデータや保持していたデータを他の端末に送信したり，他の端末からデータを受信するデータ送受信手段をなす。
　【０１１９】
　有線送受信装置手７は，有線回線を介して実際にデータを送受信する。
　【０１２０】
　無線送受信装置１８は，無線回線を介して実際にデータを送受信する。
　【０１２１】
　電源制御処理部２０は，周辺回路に供給する電源のＯＮ／ＯＦＦを制御するスイッチ手段と，上記電源のＯＮ／ＯＦＦを切り替えたことを処理検出部１１に通知する周辺動作変化通知手段とを構成する。
　【０１２２】
　処理検出部１１は，各処理部で行っている処理の内容や処理の有無を検出する処理内容検出手段と，検出結果をもとにＣＰＵ４に対して動作状態の切り替え要求を行う動作状態切替要求手段と，電源電圧検出中は動作状態を一定に保つ動作状態固定手段と，電源電圧の検出結果と複数の放電テーブルとから電池残量レベルを検出する電池残量レベル検出手段とを構成する。
　【０１２３】
　ＣＰＵ４は，処理検出部１１からの命令により動作状態を切り替える動作状態切替手段をなす。
　【０１２４】
　電源電圧検出部１２は，電源電圧を検出する電源電圧検出手段と，電源電圧検出手段で検出した電圧値を処理検出部１１に通知する検出電圧通知手段とを構成する。
　【０１２５】
　要求処理部Ｂ・２６は，設定した周期で電源電圧の検出を要求する周期電圧検出要求手段を構成する。
　【０１２６】
　以上の処理部及び装置は，ＲＡＭ３とＣＰＵ４を介して制御される。
　【０１２７】
　次に，図１１の本発明の第４の実施の形態による無線形態受信端末装置の動作について説明する。図１２は，本発明の第４の実施の形態による無線携帯情報端末装置の動作手順を示すフローチャートである。図１２のフローチャートにしたがって，図１１の構成図を用いて説明する。
　【０１２８】
　図１２を参照すると，ユーザーによって装置の電源１がＯＮされる（ステップＳＣ１）と，記憶装置６（記憶手段）に格納されていたＯＳがＲＡＭ３に展開され，装置の動作確認及び初期設定を行う（ステップＳＣ２）。
　【０１２９】
　要求処理部Ｂ・２６は，電池電圧を検出する周期で起動されるようにタイマーを設定する（電源電圧検出要求手段，ステップＳＣ３）。
　【０１３０】
　アプリケーションプログラムが起動し，表示処理部１０が表示装置５にアプリケーションの画面を表示し（表示手段），ユーザーからの入力を待ち，入力があれば，入力処理部７，データ変換処理部８，およびデータ保存処理部９等を用いて処理を行う通常の処理状態に入る（ステップＳＣ４）。この状態で，処理検出部１１は，各処理部で行っている処理の内容や処理の有無を検出し（処理内容検出手段），検出結果をもとにＣＰＵ４（動作状態切替手段）に対して動作状態の切り替えを要求する（動作状態切替要求手段，ステップＳＣ５）。
　【０１３１】
　また，電源制御処理部２０は，周辺回路に供給する電源のＯＮ／ＯＦＦを制御し（スイッチ手段），上記電源のＯＮ／ＯＦＦを切り替えたときは，処理検出部１１にその旨を通知しておく（周辺動作変化通知手段）。
　【０１３２】
　要求処理部Ｂ・２６は，前記設定した周期で起動されると，処理検出部１１に対して，電源電圧検出の開始通知を発行（ステップＳＣ６）する。
　【０１３３】
　処理検出部１１は，開始通知を受け取ると，ＣＰＵ４に対して動作状態を切り替えるための命令を発行せず，現在の動作状態に固定する（動作状態固定手段，ステップＳＣ７）。
　【０１３４】
　また，要求処理部Ｂ・２６は，電源電圧検出部１２に対して，電池電圧の検出要求を発行する（電源電圧検出要求手段，ステップＳＣ８）。
　【０１３５】
　電源電圧検出部１２は，検出通知を受け取ると電圧値の検出を行い（電源電圧検出手段，ステップＳＣ９），検出結果を処理検出部１１に通知する（検出電圧通知手段，ステップＳＣ１０）。
　【０１３６】
　処理検出部１１は，記憶装置６（データ記憶手段）から動作状態と周辺回路の動作の有無に応じた放電データを読み込み（ステップＳＣ１１），放電データと電圧値とから電池残量レベルを検出し（電池残量レベル検出手段，ステップＳＣ１２），前記レベルを表示装置に表示し（電池残量レベル表示手段），動作状態の固定化を解除し（動作状態固定手段の解除，ステップＳＣ１３），通常の処理状態に戻る。
　【０１３７】
　ユーザーが無線携帯情報端末装置の電源をＯＦＦする（ステップＳＣ１４）か，ユーザーからの入力が一定時間ないと（処理内容検出手段），処理検出部１１はＣＰＵ４に動作状態切替要求を出し（動作状態切替要求手段），ＣＰＵ４は，最も消費電力量の小さい動作状態に遷移させる（動作状態切替手段，ステップＳＣ１５）。この状態においても，要求処理部Ｂ・２６は検出周期になると自動的に起動し（電源電圧検出要求手段），電源電圧検出部１２に電源電圧検出通知を出力し，電源電圧検出部１２は電源電圧の検出を行う処理を繰り返す（電源電圧検出手段）。
　【０１３８】
　（第５の実施の形態）
　次に，本発明の第５の実施の形態について図面を参照して詳細に説明する。第５の実施の形態による無線携帯情報端末装置は，第３の実施の形態で示した要求処理部Ａ・１４が電源電圧検出中に周辺回路のＯＮ／ＯＦＦが切り替わった時に再度電源電圧の検出を要求する再電源電圧検出手段を追加したものである。
　【０１３９】
　次に，本発明の第５の実施の形態の動作について説明する。図１３は，本発明の第５の実施の形態による無線携帯情報端末装置の動作手順を示すフローチャートである。図１３のフローチャートにしたがって，図１０の構成図を用いて説明する。
　【０１４０】
　図１３を参照して，入力処理部７，データ変換処理部８，及びデータ保存処理部９等を用いた通常の処理の場合（ステップＳＤ１），まず，要求処理部Ａ・１４は，設定した周期で起動される（ステップＳＤ２）と，処理検出部１１に対して，電源電圧検出の開始通知を発行する（電源電圧開始通知手段，ステップＳＤ３）。
　【０１４１】
　処理検出部１１は，前記通知を受け取ると，ＣＰＵ４に対して動作状態を切り替えるための命令を発行せず，現在の動作状態に固定する（動作状態固定手段，ステップＳＤ４）。
　【０１４２】
　また，要求処理部Ａ・１４は，電源電圧検出部１２に対して，電池電圧の検出要求を発行する（電源電圧検出要求手段，ステップＳＤ５）。
　【０１４３】
　電源電圧検出部１２は，前記要求を受け取ると電圧値の検出を行う（電源電圧検出手段，ステップＳＤ６）。
　【０１４４】
　電池残量レベル検出部１３は，動作状態と周辺回路の動作の有無に応じた放電データを読み込み，放電データと電圧値とから電池残量レベルを検出し（電池残量レベル検出手段，ステップＳＤ７），前記レベルを表示装置５に表示する（電池残量レベル表示手段，ステップＳＤ８）。
　【０１４５】
　電源電圧検出部１２は，電源電圧検出が終了すると電源電圧の検出が終了したことを処理検出部１１に対して通知する（検出終了通知手段，ステップＳＤ９）。
　【０１４６】
　処理検出部１１は通知を受け取ると，電源制御処理部２０に対して，電池電圧の検出中に周辺回路に供給する電源のＯＮ／ＯＦＦを切り替えたかどうか確認し（処理内容検出手段，ステップＳＤ１０），切り替えた場合は，受け取った電池残量レベルを破棄し，動作状態を一定に保つ（動作状態固定手段）。この時，要求処理部Ａ・１４は，電池電圧の検出要求を再発行する（電源電圧再検出要求手段，ステップＳＤ３）。
　【０１４７】
　ステップＳＤ１０の処理段階で，切り替えていない場合は，処理検出部１１は，動作状態の固定化を解除し（動作状態固定手段の解除，ステップＳＤ１１），電源のＯＦＦがなく，又入力のない場合には，通常の処理状態に戻る。
　【０１４８】
　一方、電源のＯＦＦ又は入力があった場合には，処理検出部１１は低消費電力での動作状態となるように，通知を発行して（動作状態切替要求手段），この通知によってＣＰＵ４（動作状態切替手段）は，低消費電力での動作状態に移行させる。
　【０１４９】
　（第６の実施の形態）
　次に，本発明の第６の実施の形態について図面を参照して詳細に説明する。端末は第１から第５の実施の形態で示した要求処理部の中に，電池残量レベルに応じて，電源電圧の検出を要求する周期を設定する電源電圧検出要求周期設定手段を設けたものである。
　【０１５０】
　次に，本発明の第６の実施の形態による無線携帯情報端末装置の動作を説明する。図１４は，本発明の第６の実施の形態による携帯端末装置の動作手順を示すフローチャートである。図１４のフローチャートにしたがって，図１０の構成図を用いて説明する。
　【０１５１】
　まず，要求処理部Ａ・１４は，電池電圧を検出する周期で起動されるようにタイマーを設定し（ステップＳＥ１），入力処理部７，データ変換処理部８，及びデータ保存処理部９等を用いた通常の処理がなされる（ステップＳＥ２）。次に，要求処理部Ａ・１４は，前記設定した周期で起動される（ステップＳＥ３）と，処理検出部１１に対して，電源電圧検出の開始通知を発行する（電源電圧開始通知手段，ステップＳＥ４）。
　【０１５２】
　処理検出部１１は，電源電圧開始通知を受け取ると，ＣＰＵ４（動作状態切替手段）に対して動作状態を切り替えるための命令を発行せず，現在の動作状態に固定する（動作状態固定手段，ステップＳＥ５段階）。動作が固定されると，要求処理部Ａ・１４は，電源電圧検出部１２に対して，電池電圧の検出要求を発行する（電源電圧検出要求手段，ステップＳＥ６）。
　【０１５３】
　電源電圧検出部１２は，前記通知を受け取ると電圧値の検出を行う（電源電圧検出手段，ステップＳＥ７）。
　【０１５４】
　電池残量レベル検出部１３は，動作状態と周辺回路の動作の有無に応じた放電データを読み込み（ステップＳＥ８），放電データと電圧値とから電池残量レベルを検出し（電池残量レベル検出手段），前記レベルを表示装置に表示し（電池残量レベル表示手段，ステップＳＥ９），レベルを処理検出部１１に対して通知する（ステップＳＥ１０）。
　【０１５５】
　処理検出部１１は，通知を受け取ると，電源制御処理部２０に対して，電池電圧の検出中に周辺回路に供給する電源のＯＮ／ＯＦＦを切り替えたかどうか確認（処理内容検出手段，ステップＳＥ１１）する。
　【０１５６】
　ここで，電源電圧検出中に周辺回路に供給する電源のＯＮ／ＯＦＦを切り替えた場合は，受け取った電池残量レベルを破棄し，動作状態を一定に保ったまま電池電圧の検出要求を再発行する（ステップＳＥ４）。
　【０１５７】
　切り替えていない場合は，動作状態の固定化を解除し（動作固定手段の解除，ステップＳＥ１２），要求処理部Ａ・１４は，電池残量レベルが大きいときは電池電圧を検出する周期を長く，小さいときは電池電圧を検出する周期を短く設定する（電源電圧検出要求周期設定手段，ステップＳＥ１３）。
　【０１５８】
　ここで，電源制御処理部２０からの電源ＯＮされるか又は入力がない場合（ステップＳＥ１４）には，処理検出部１１は，ＣＰＵ４（動作状態切替手段）に動作状態を切り換える要求を出し（動作状態切替要求手段），低消費電力での動作状態（ステップＳ１５）となる。
　【０１５９】
　また，ステップＳ１４段階で，電源ＯＦＦされるか又は入力があった場合には，前述したように，入力処理部７，データ変換処理部８，及びデータ保存処理部９等を用いた通常の処理状態に戻る（ステップＳ２段階）。
　【０１６０】
　【発明の効果】
　以上，説明したように，本発明では，動作状態と周辺回路の動作の有無の変化を監視しておき，電池電圧検出中は動作モードを一定に保ち，検出した電圧値から電池レベルを検出し，電池電圧の検出中に周辺回路の動作の有無が変化したときに，再度電池電圧の検出を行い，また，電池残量レベルに応じて電源電圧の検出要求を行う周期を設定する。
　【０１６１】
　このため，本発明では，電池電圧レベルの検出が正確に行えるために，電源電圧低下による端末の誤動作を防止し，誤動作により蓄積されたデータ，プログラムを破壊することがない無線携帯情報端末装置を提供することができる。
　【０１６２】
　また，本発明では，電池電圧の検出を行うために不要な電力を消費することがないために，端末の使用時間を延ばすことができる無線携帯情報端末装置を提供することができる。
　【０１６３】
　さらに，本発明では，予め端末の動作状態と周辺回路の動作の有無に応じた放電テーブルを複数用意するために，電池電圧の検出が容易な回路，または，プログラムの付加により小型で，安価に実現可能である無線携帯情報端末装置を提供することができる。
【図面の簡単な説明】
　【図１】
　本発明の第１の実施の形態による無線携帯情報端末装置の使用例を示すブロック図である。
　【図２】
　図１の無線携帯情報端末装置の動作状態の概念図である。
　【図３】
　図１の無線携帯情報端末装置の構成を示すブロック図である。
　【図４】
　図１の無線携帯情報端末装置の電池電圧検出手段を示す図である。
　【図５】
　図１の無線携帯情報端末装置の動作説明に供せられるフローチャート図である。
　【図６】
　図１の無線携帯情報端末装置の動作状態の遷移の説明に供せられる図である。
　【図７】
　電池の放電特性を示す図である。
　【図８】
　本発明の第２の実施の形態による無線携帯情報端末装置の構成を示すブロック図である。
　【図９】
　図８の無線携帯情報端末装置の動作説明に供せられるフローチャート図である。
　【図１０】
　本発明の第３の実施の形態による無線携帯情報端末装置の構成を示すブロック図である。
　【図１１】
　本発明の第４の実施の形態による無線携帯情報端末装置の構成を示すブロック図である。
　【図１２】
　図１１の無線携帯情報端末装置の動作説明の供せられるフローチャート図である。
　【図１３】
　本発明の第５の実施の形態による無線携帯情報端末装置の動作説明の供せられるフローチャート図である。
　【図１４】
　本発明の第６の実施の形態による無線携帯情報端末装置の動作説明の供せられるフローチャート図である。
　【図１５】
　従来技術による無線携帯情報端末装置の電池電圧検出手段を示す図である。
　【符号の説明】
　１　電源
　２　入力装置
　３　ＲＡＭ
　４　ＣＰＵ
　５　表示装置
　６　記憶装置
　７　入力処理部
　８　データ変換処理部
　９　データ保存処理部
　１０　表示処理部
　１２　電源電圧検出部
　１３　電池残量レベル検出部
　１４　要求処理部Ａ
　１５　無線携帯端末部
　１６　携帯情報端末部
　１７　有線送受信装置
　１８　無線送受信装置
　１９　送受信処理部
　２０　電源制御処理部
　２１　ＣＰＵ
　２２　ＲＡＭ
　２３　送受信処理部
　２４　信号処理部
　５０，５０´，５０ａ，５０ｂ，５０ｃ，５０ｄ　端末
　５１　基地局
　２６　要求処理部Ｂ